(57)【特許請求の範囲】
【請求項１】
断熱箱体からなる貯蔵庫本体内には複数の貯蔵室が断熱性の仕切壁により区分して形成され、各貯蔵室には、圧縮機を含む独立した冷凍サイクルの一部を構成する冷却器と、冷却ファンと、タイマと、庫内温度を検知する庫内サーミスタとがそれぞれ設けられるとともに、互いに高低異なる庫内設定温度が設定されるようになっており、
各貯蔵室では、庫内サーミスタで検知された庫内検知温度が対応する庫内設定温度の上限値に達したら、対応する冷凍サイクルの圧縮機と冷却ファンとが運転され、同庫内設定温度の下限値に達したら圧縮機が停止することを繰り返す冷却制御運転が実行されることにより、庫内が対応する庫内設定温度に維持されるとともに、
前記タイマによって検出された時間に基づいて、前記冷却制御運転の途中で前記圧縮機を停止して除霜運転が行われるようにした冷却貯蔵庫において、
庫内設定温度が高い方の貯蔵室に対応した冷凍サイクルの圧縮機の冷却制御運転中における停止時間を計測する運転状況検知部が具備され、
この運転状況検知部で計測された圧縮機停止時間が第１所定時間に達したときに、当該庫内設定温度が高い方の貯蔵室の庫内検知温度が庫内設定温度の下限値を上回っていることを条件に圧縮機と冷却ファンとを運転状態とする第１の機能を行う制御手段が備えられ、
前記除霜運転は、庫内設定温度が低い方の貯蔵室においては除霜ヒータを利用した加熱形式とされており、前記除霜ヒータの作動を終了させた後、待機時間経過後に当該除霜運転を終了して前記冷却制御運転を開始するものとされ、
前記除霜ヒータの作動を終了させた後、前記待機時間内の所定時間経過後に、前記庫内設定温度が低い方の貯蔵室の冷凍サイクルにおける凝縮器に装備された目詰まりサーミスタによる温度検知を行うものとされており、
前記制御手段は、前記目詰まりサーミスタによる検知温度が所定温度以下であったときに庫内設定温度が高い方の貯蔵室における同庫内設定温度の上限値を下げるように補正する第２の機能をさらに備え、
さらに、前記第２の機能による設定温度上限値の補正が、庫内設定温度が高い方の貯蔵室において前記除霜運転が終了し前記冷却制御運転が開始されることを待って行われることを特徴とする冷却貯蔵庫。
【請求項２】
前記制御手段は、前記運転状況検知部で計測された圧縮機停止時間が前記第１所定時間に達したときに前記庫内検知温度が庫内設定温度の下限値以下であった場合には、引き続く圧縮機停止時間が前記第１所定時間に達したところで前記庫内検知温度が庫内設定温度の下限値を上回っていることを条件に圧縮機と冷却ファンとを運転状態とする機能を備えていることを特徴とする請求項１記載の冷却貯蔵庫。
【請求項３】
前記制御手段は、圧縮機の起動直後の第２所定時間に限って冷却ファンを停止状態とする機能を備えていることを特徴とする請求項１または請求項２記載の冷却貯蔵庫。
【請求項４】
前記制御手段は、前記運転状況検知部で計測された圧縮機停止時間が前記第１所定時間に達したときに前記庫内検知温度が庫内設定温度の下限値以下であった場合には、引き続く圧縮機の停止中に前記庫内検知温度が庫内設定温度の下限値を上回ったところで前記圧縮機を第３所定時間運転し、かつ同時間中は前記冷却ファンを停止状態とする機能を備えていることを特徴とする請求項１記載の冷却貯蔵庫。
【発明の詳細な説明】
【技術分野】
【０００１】
本発明は、庫内設定温度が互いに異なる複数の貯蔵室を備えた冷却貯蔵庫に関する。
【背景技術】
【０００２】
この種の冷却貯蔵庫の一例として冷凍冷蔵庫が挙げられる。冷凍冷蔵庫は、断熱箱体からなる本体内が断熱性の仕切壁で冷蔵室と冷凍室とに区分され、各室にはそれぞれ、個別に設けられた冷凍サイクルの一部を構成する冷却器と、冷却ファンとが装備された構造であって、各室では、庫内サーミスタで検知された庫内温度と、予め定められた庫内設定温度（例えば冷蔵室は５℃、冷凍室は−２５℃）とが比較され、検知温度が設定温度よりも高いか低いかにより、冷却運転とその停止とが繰り返されて、各室がそれぞれ、ほぼ庫内設定温度に維持されるようになっている（例えば、特許文献１参照）。
【０００３】
上記の制御運転の詳細を、冷蔵室側を例に採って説明すると、庫内サーミスタによる検知温度が庫内設定温度の上限値に上昇したら、対応する冷凍サイクルの圧縮機を運転し、同庫内設定温度の下限値に下降したら、圧縮機を停止するようになっている。冷却運転中には、庫内空気が、冷却された冷却器と熱交換して冷気が生成され、この冷気が冷却ファンにより冷蔵室内に循環されることで冷蔵室が冷却され、このときは庫内空気が冷却器を通過する間に庫内空気中の水分が霜となって冷却器に付着し、すなわち除湿されるために、冷蔵室内の湿度は低下する。一方、冷却運転の停止中は冷却器自身が冷却されないために除湿機能がなく、逆に霜が融けて水滴となってこれが冷却ファンにより冷蔵室内に発散される等で、冷蔵室内の湿度は上昇するという事情がある。
【先行技術文献】
【特許文献】
【０００４】
【特許文献１】特開２０００−２２０９３９号公報
【発明の概要】
【発明が解決しようとする課題】
【０００５】
例えば当該冷凍冷蔵庫の設置位置の周囲温度が低いと、冷蔵室の温度上昇も抑制されるために冷却運転の停止時間が長くなり、その結果、上記のように冷蔵室が高湿度となり勝ちであるが、そうすると、低温に制御される冷凍室との間を仕切る仕切壁に結露が生じるという問題があった。  
本発明は上記のような事情に基づいて完成されたものであって、その目的は、庫内設定温度が高い方の貯蔵室における結露を抑制するところにある。
【課題を解決するための手段】
【０００６】
本発明は、断熱箱体からなる貯蔵庫本体内には複数の貯蔵室が断熱性の仕切壁により区分して形成され、各貯蔵室には、圧縮機を含む独立した冷凍サイクルの一部を構成する冷却器と、冷却ファンと、庫内温度を検知する庫内サーミスタとがそれぞれ設けられるとともに、互いに高低異なる庫内設定温度が設定されるようになっており、各貯蔵室では、庫内サーミスタで検知された庫内検知温度が対応する庫内設定温度の上限値に達したら、対応する冷凍サイクルの圧縮機と冷却ファンとが運転され、同庫内設定温度の下限値に達したら圧縮機が停止することを繰り返す冷却制御運転が実行されることにより、庫内が対応する庫内設定温度に維持されるようにした冷却貯蔵庫において、庫内設定温度が高い方の貯蔵室に対応した冷凍サイクルの圧縮機の冷却制御運転中における停止時間を計測する運転状況検知部が具備され、この運転状況検知部で計測された圧縮機停止時間が第１所定時間に達したときに、当該庫内設定温度が高い方の貯蔵室の庫内検知温度が庫内設定温度の下限値を上回っていることを条件に圧縮機と冷却ファンとを運転状態とする制御手段が備えられているところに特徴を有する。
【０００７】
上記構成では、庫内設定温度が高い方の貯蔵室において、対応する圧縮機の停止時間が第１所定時間経過し、かつそのときの庫内検知温度が庫内設定温度の下限値を上回っていたら、圧縮機並びに冷却ファンが運転状態とされる。これにより、庫内設定温度の高い方の貯蔵室内の除湿が促されて高湿度状態となることが防止され、庫内設定温度が低い方の貯蔵室との間の仕切壁に結露することが抑制される。そのため、庫内設定温度が高い方の貯蔵室に貯蔵された食材が濡れることが防止され、より衛生的に保存することが可能となる。ここで、圧縮機の起動条件として、庫内検知温度が庫内設定温度の下限値を上回っていることを採ったのは、無条件に圧縮機を運転するといわゆる冷やし過ぎの状態となって、貯蔵物が不必要に凍り付くことが懸念され、それを回避するためである。
【０００８】
また、以下のような構成としてもよい。  
（１）前記制御手段は、前記運転状況検知部で計測された圧縮機停止時間が前記第１所定時間に達したときに前記庫内検知温度が庫内設定温度の下限値以下であった場合には、引き続く圧縮機停止時間が前記第１所定時間に達したところで前記庫内検知温度が庫内設定温度の下限値を上回っていることを条件に圧縮機と冷却ファンとを運転状態とする機能を備えている。  
圧縮機停止時間が第１所定時間に達したときに庫内検知温度が庫内設定温度の下限値以下であった場合には、圧縮機は起動されないが、そのときから圧縮機停止時間がさらに第１所定時間に達したところで庫内検知温度が庫内設定温度の下限値を上回っていると、圧縮機並びに冷却ファンが運転状態とされる。室内の冷やし過ぎを抑制した上で、同室内が高湿度状態となることが防止される。
【０００９】
（２）前記制御手段は、圧縮機の起動直後の第２所定時間に限って冷却ファンを停止状態とする機能を備えている。  
圧縮機の起動直後における第２所定時間は冷却ファンが停止され、同時間経過後に冷却ファンが運転される。圧縮機の起動直後の第２所定時間は、庫内空気が冷却器を通過しないことで冷却器がより早く低温になり、冷却ファンが運転された際に除湿機能をより有効に発揮することができる。
【００１０】
（３）前記制御手段は、前記運転状況検知部で計測された圧縮機停止時間が前記第１所定時間に達したときに前記庫内検知温度が庫内設定温度の下限値以下であった場合には、引き続く圧縮機の停止中に前記庫内検知温度が庫内設定温度の下限値を上回ったところで前記圧縮機を第３所定時間運転し、かつ同時間中は前記冷却ファンを停止状態とする機能を備えている。  
圧縮機停止時間が第１所定時間に達したときに庫内検知温度が庫内設定温度の下限値以下であった場合には、圧縮機の停止状態が続けられるが、その間に庫内検知温度が庫内設定温度の下限値を上回ると、圧縮機が第３所定時間運転され、かつ冷却ファンが同時間停止される。庫内設定温度が高い方の貯蔵室が高湿度状態に向かうところで早めに除湿機能が発揮できる状況が得られ、同室内が高湿度状態となることがより確実に回避できる。
【００１１】
（４）当該冷却貯蔵庫の設置位置の周囲温度を検知する周囲温度センサが具備されるとともに、この周囲温度センサの検知温度が所定温度以下であるときには、庫内設定温度が高い方の貯蔵室における同庫内設定温度の上限値を下げるように補正する補正手段が設けられている。  
庫内設定温度が高い方の貯蔵室において、周囲温度センサにより検知された周囲温度が所定温度以下のときは、圧縮機が停止状態から運転再開状態に切り替わる温度である庫内設定温度の上限値が下方修正される。これにより、圧縮機の停止時間が短縮され、同室内が高湿度状態となることがより確実に防止される。
【発明の効果】
【００１２】
本発明によれば、庫内設定温度が高い方の貯蔵室における結露を抑制することができる。
【図面の簡単な説明】
【００１３】
【図１】本発明の実施形態１に係る冷凍冷蔵庫の一部切欠正面図
【図２】図１のII−II線断面図
【図３】冷凍サイクルの構成図
【図４】結露抑制制御機構のブロック図
【図５】結露抑制制御のタイミングチャート
【図６】実施形態２に係る結露抑制制御のタイミングチャート
【図７】実施形態３に係る結露抑制制御機構のブロック図
【図８】結露抑制制御のタイミングチャート
【発明を実施するための形態】
【００１４】
以下、本発明の実施形態を添付図面に基づいて説明する。  
＜実施形態１＞
本発明の実施形態１を図１ないし図５によって説明する。この実施形態では、４ドア型の冷凍冷蔵庫を例示している。  
冷凍冷蔵庫は、図１及び図２に示すように、前面開口のやや縦長の断熱箱体からなる本体１０を有しており、本体１０内には、間口方向の中央部に断熱性の仕切壁１１が設けられることで、正面から見た左側に冷蔵室１２Ｒが、右側に冷凍室１２Ｆが形成されている。本体１０の前面開口部には、観音開き式の断熱扉１３が上下２段に分かれて装着されている。本体１０は、底面に配された図示４本の脚１４で支持されているとともに、本体１０の上面には、パネルで囲まれることにより機械室１６が形成されている。
【００１５】
冷蔵室１２Ｒと冷凍室１２Ｆとには、独立した冷凍サイクル２０Ｒ，２０Ｆがそれぞれ装備されている。冷蔵用と冷凍用の冷凍サイクル２０Ｒ，２０Ｆはそれぞれ、図３に示すように、圧縮機２１Ｒ，２１Ｆ、凝縮器２２Ｒ，２２Ｆ、ドライヤ２３Ｒ，２３Ｆ、膨張弁としてのキャピラリチューブ２４Ｒ，２４Ｆ及び冷却器（蒸発器）２５Ｒ，２５Ｆを、冷媒管により循環接続することで形成されている。各凝縮器２２Ｒ，２２Ｆには、凝縮器ファン２６Ｒ，２６Ｆが装備されている。
【００１６】
冷凍サイクルの配設構造は、冷蔵室１２Ｒ側を例に採ると、図２に示すように、冷蔵室１２Ｒの天井壁に開口された窓孔３０を塞ぐようにして断熱性の基台３１が設置され、同基台３１上に、圧縮機２１Ｒ、凝縮器２２Ｒ等からなる冷凍装置２８Ｒが載置されるとともに、下面側に冷却器２５Ｒが吊り下げて取り付けられている。  
一方、冷蔵室１２Ｒの天井部分における窓孔３０の下面側には、ドレンパンを兼ねたエアダクト３３が張られることで冷却器室３４が形成されている。冷却器室３４内には上記した冷却器２５Ｒが収容され、またエアダクト３３の手前側（同図の左側）には吸込口３６が設けられて冷却ファン３７Ｒが装備されているとともに、奥側には吹出口３８が設けられている。  
したがって冷却ファン３７Ｒが駆動されると、同図の矢線に示すように、冷蔵室１２Ｒの空気が吸込口３６から冷却器室３４内に吸い込まれ、冷却器２５Ｒを流通したのち吹出口３８から冷蔵室１２Ｒに向けて吹き出されるといった循環流が生じるようになっている。  
なお、冷凍室１２Ｆ側における冷凍サイクル２０Ｆの配設構造、ならびに空気の循環流通形態は、上記した冷蔵室１２Ｒ側と同様である。
【００１７】
基本的な冷却制御運転は、以下のようにして行われる。図４に示すように、マイコン、タイマ等を搭載した制御装置４０には、冷蔵室１２Ｒと冷凍室１２Ｆの庫内温度を検知する庫内サーミスタ４１Ｒ，４１Ｆが接続され、これらは例えば、冷却器室３４内における冷却器２５Ｒ，２５Ｆの上流側に配されている。一方、庫内設定温度入力部４２により冷蔵室１２Ｒと冷凍室１２Ｆの庫内設定温度ＴＲ，ＴＦが入力できるようになっており、例えば冷蔵室１２Ｒでは「５℃」、冷凍室１２Ｆでは「−２５℃」に設定される。
【００１８】
冷蔵室１２Ｒ側では、冷却ファン３７Ｒが駆動される一方、図５のタイミングチャートに参照して示すように、庫内サーミスタ４１Ｒによる検知温度Ｔｋが、庫内設定温度の上限値ＴＲ_u（ＴＲ＋１．７Ｋ）に上昇したら、対応する冷凍サイクル２０Ｒの圧縮機２１Ｒが運転され、庫内設定温度の下限値ＴＲ_d（ＴＲ−２Ｋ）に下降したら圧縮機２１Ｒが停止され、この動作が繰り返されることで、冷蔵室１２Ｒの庫内温度がほぼ設定温度ＴＲに維持されるようになっている。  
冷凍室１２Ｆ側でも、冷却ファン３７Ｆが駆動される一方、庫内サーミスタ４１Ｆによる検知温度が、庫内設定温度の上限値ＴＦ_u（ＴＦ＋２Ｋ）に上昇したら、対応する冷凍サイクル２０Ｆの圧縮機２１Ｆが運転され、庫内設定温度の下限値ＴＦ_d（ＴＦ−２Ｋ）に下降したら圧縮機２１Ｆが停止され、この動作が繰り返されることで、冷凍室１２Ｆの庫内温度がほぼ設定温度ＴＦに維持されるようになっている。
【００１９】
また、冷却制御運転の途中で適宜に除霜運転が行われるようになっており、２４時間タイマからの指示に基づいて、例えば６時間置きに実行されるようになっている。  
除霜運転については、冷凍室１２Ｆ側が除霜ヒータ４４を利用した加熱形式、冷蔵室１２Ｒ側がオフサイクル形式である。より具体的には、図５のタイミングチャートに示されるように、冷凍室１２Ｆでは、圧縮機２１Ｆ、冷却ファン３７Ｆが停止される一方、冷却器２５Ｆに装備された除霜ヒータ４４がオンされることで除霜され、この間、除霜サーミスタ４６Ｆで冷却器２５Ｆの温度が検知されており、所定温度に上昇したところで着霜が無くなったと見なされて除霜ヒータ４４がオフとなり、そののち例えば１０分の水切り時間が経過したところで、冷却制御運転が再開されるようになっている。なお、除霜水を受けるエアダクト３３（ドレンパン）と排水管３５に装備されたヒータ４５は、除霜運転中オン制御される。  
冷蔵室１２Ｒでは、冷凍サイクル２０Ｒの圧縮機２１Ｒが停止される一方、除霜サーミスタ４６Ｒで冷却器２５Ｒが所定温度に到達するまで監視制御が行われ、この間、冷却ファン３７Ｒは連続運転される。除霜サーミスタ４６Ｒが所定温度を検知すると除霜が完了したものと判断され、圧縮機２１Ｒが起動されて冷却制御運転に戻る。
【００２０】
さてこの実施形態では、冷蔵室１２Ｒ側の冷却制御運転中において、同室１２Ｒにおける結露抑制制御が実行されるようになっている。例えば、当該冷凍冷蔵庫の設置位置の周囲温度が低いと、冷蔵室１２Ｒ側の圧縮機２１Ｒの停止時間（圧縮機２１Ｒがオフとなってから再びオンされるまでの時間）が長くなり勝ちとなり、それだけ庫内湿度の上昇を招いて、冷凍室１２Ｆとの間の仕切壁１１等に結露しやすくなることに鑑み、そのような結露発生を抑制するために、圧縮機２１Ｒの停止時間を短縮する対策が講じられているものである。
【００２１】
一対策として、周囲温度が低い場合には、冷蔵室１２Ｒにおける圧縮機２１Ｒをオン制御するための庫内設定温度の上限値を下げるようにしている。  
そのため、上記した制御装置４０の入力側には、上記周囲温度を検知するべく周囲温度センサが接続されており、この周囲温度センサとしては、冷凍室１２Ｆ側の冷凍サイクル２０Ｆにおける凝縮器２２Ｆに装備された目詰まりサーミスタ４７が利用されている。冷凍室１２Ｆ側の除霜運転中における水切り終了の３０秒前の目詰まりサーミスタ４７の検知温度Ｔｓは、ほぼ外気温度（周囲温度）と一致すると考えられ、目詰まりサーミスタ４７の検知温度Ｔｓを周囲温度と擬制している。
【００２２】
制御装置４０には、目詰まりサーミスタ４７の検知温度Ｔｓが所定温度（例えば１５℃）以下であるときには、冷蔵室１２Ｒの庫内設定温度の上限値ＴＲ_uを下方修正するように補正する上限値補正部５０が設けられている。具体的には、周囲温度Ｔｓが「１５℃」以下となったら、庫内設定温度の上限値ＴＲ_uが、「庫内設定温度ＴＲ＋１．７Ｋ」から『庫内設定温度ＴＲ＋０．３Ｋ』に補正され、併せて結露抑制制御が開始される。  
ここで、周囲温度Ｔｓが「１５℃」以下であることを検知したタイミングが、冷蔵室１２Ｒ側において除霜運転中であった場合には、除霜運転が終了して冷却制御運転が開始されることを待って結露抑制制御が開始される。同タイミングが、冷蔵室１２Ｒ側において除霜運転が終了した後であれば、同タイミングから結露抑制制御が開始される。
【００２３】
上記に加えて、圧縮機補正制御部５１が備えられている。この圧縮機補正制御部５１には運転状況検知部５２が付設されていて、この運転状況検知部５２では、冷蔵室１２Ｒで冷却制御運転が実行されている場合において、圧縮機２１Ｒの停止時間が計測されるようになっている。そして、圧縮機補正制御部５１では、運転状況検知部５２で計測された圧縮機２１Ｒの停止時間が、第１所定時間ｔ１（５０分）に達した時点で、庫内サーミスタ４１Ｒによる検知温度Ｔｋが、庫内設定温度の下限値ＴＲ_d（ＴＲ−２Ｋ）以上であることを条件に、圧縮機２１Ｒを強制的に起動するようになっている。  
なお、圧縮機２１Ｒの停止時間が第１所定時間ｔ１（５０分）継続された時点で、庫内サーミスタ４１Ｒによる検知温度Ｔｋが、庫内設定温度の下限値ＴＲ_d（ＴＲ−２Ｋ）より低いときには、圧縮機２１Ｒは停止状態のままとなるが、改めて圧縮機２１Ｒの停止時間が計時されて、上記した圧縮機２１Ｒの運転制御が行われる。
【００２４】
さらに、冷却ファン補正制御部５３が備えられている。この冷却ファン補正制御部５３では、上記した結露抑制制御が開始されたのちにおいて、圧縮機２１Ｒが停止状態から再起動した場合には、冷却ファン３７Ｒが第２所定時間ｔ２（例えば３分）だけ停止されるようになっている。但し、圧縮機２１Ｒが３分未満で運転が停止された場合には、圧縮機２１Ｒの停止とともに冷却ファン３７Ｒが再起動されるようになっている。  
なお、上記した結露抑制制御は、次の除霜運転の開始時に解除されるようになっている。
【００２５】
本実施形態の作用の一例を、図５のタイミングチャートに基づいて説明する。  
冷凍室１２Ｆと冷蔵室１２Ｒとで除霜運転が同時に開始され、冷凍室１２Ｆ側の除霜運転中における水切り終了の３０秒前の目詰まりサーミスタ４７の検知温度Ｔｓが「１５℃以下」であったら、周囲温度が低いことに起因して冷蔵室１２Ｒ側の圧縮機２１Ｒの停止時間が長引き、庫内湿度の上昇に繋がると判断され、結露抑制制御が開始される。  
この制御に入ると、庫内設定温度の上限値ＴＲ_uが『庫内設定温度ＴＲ＋０．３Ｋ』に補正され、圧縮機２１Ｒが停止後に再度オンするタイミングが早められる（同タイミングチャートの後半部参照）。
【００２６】
一方、冷蔵室１２Ｒにおいて冷却制御運転が開始されてからの圧縮機２１Ｒの運転状況が検知されており、圧縮機２１Ｒの停止時間が第１所定時間ｔ１（５０分）継続され、かつ庫内サーミスタ４１Ｒによる検知温度Ｔｋが、庫内設定温度の下限値ＴＲ_d（ＴＲ−２Ｋ）以上であったら、圧縮機２１Ｒが強制的に起動される。庫内検知温度Ｔｋが、庫内設定温度の下限値ＴＲ_d（ＴＲ−２Ｋ）に達したら、圧縮機２１Ｒは停止される。
【００２７】
すなわち、庫内設定温度の上限値ＴＲ_uが下方修正されて圧縮機２１Ｒが起動されるタイミングが早められることに加え、冷蔵室１２Ｒ側の圧縮機２１Ｒの停止時間が長い場合には強制的に圧縮機２１Ｒが運転されるようになり、結果、圧縮機２１Ｒの運転率が上昇するために冷蔵室１２Ｒ内の除湿が促されて高湿度状態となることが防止される。そのため、冷蔵室１２Ｒにおいて冷凍室１２Ｆとの間の仕切壁１１に結露することが抑制され、冷蔵室１２Ｒ内に貯蔵された食材が濡れることが防止されて、より衛生的に保存することが可能となる。  
なお、圧縮機２１Ｒの停止時間に基づく圧縮機２１Ｒの起動条件として、庫内検知温度Ｔｋが庫内設定温度の下限値ＴＲ_dを上回っていることを採ったのは、無条件に圧縮機２１Ｒを運転するといわゆる冷やし過ぎの状態となって、貯蔵物が不必要に凍り付くおそれがあり、これを回避するためである。
【００２８】
また、結露抑制制御が開始されたのち、圧縮機２１Ｒが停止状態から再起動した場合には、冷却ファン３７Ｒが第２所定時間ｔ２（３分）だけ停止され、但し、圧縮機２１Ｒが３分未満で運転が停止された場合には、同圧縮機２１Ｒの運転中のみ冷却ファン３７Ｒが停止される。これにより、圧縮機２１Ｒの起動直後の第２所定時間ｔ２は、庫内空気が冷却器２５Ｒを通過しないことで冷却器２５Ｒが低温となり、冷却ファン３７Ｒが運転された際に除湿機能をより有効に発揮することができる。
【００２９】
＜実施形態２＞
本発明の実施形態２を図６によって説明する。この実施形態２は、上記実施形態１の変形例とも言うべきものである。  
上記実施形態１では、結露抑制制御が実行されている場合において、圧縮機２１Ｒの停止時間が第１所定時間ｔ１（５０分）継続された時点で、庫内サーミスタ４１Ｒによる検知温度Ｔｋが、庫内設定温度の下限値ＴＲ_d（ＴＲ−２Ｋ）より低いときには、圧縮機２１Ｒは停止状態のままで、改めて圧縮機２１Ｒの停止時間が計時されて圧縮機２１Ｒの運転制御が行われるようになっていた。
【００３０】
それに対して本実施形態２では、圧縮機２１Ｒの停止時間が第１所定時間ｔ１を経過した段階で、庫内検知温度Ｔｋが庫内設定温度の下限値ＴＲ_d（ＴＲ−２Ｋ）より低かったために、圧縮機２１Ｒの停止状態が継続された場合、次の第１所定時間ｔ１が経過する前に、庫内検知温度Ｔｋが庫内設定温度の下限値ＴＲ_d（ＴＲ−２Ｋ）を上回ったら、その時点で圧縮機２１Ｒが第３所定時間ｔ３（最低２０秒）だけ強制的に運転される。冷却ファン３７Ｒは逆に同期して停止される。
【００３１】
実施形態２の制御によれば、圧縮機２１Ｒの停止時間が第１所定時間ｔ１を経過したところで圧縮機２１Ｒの起動ができなかった場合、次の第１所定時間ｔ１の経過を待つ前に、庫内温度の条件によって直ちに圧縮機２１Ｒを起動することができる。言い換えると、圧縮機２１Ｒの停止状態が長くなって冷蔵室１２Ｒが高湿度状態に向かうところで早めに除湿機能が発揮できる状況が得られ、同室１２Ｒ内が高湿度状態となることがより確実に回避できる。  
なお、圧縮機２１Ｒの運転時間を最低２０秒としたのは、冷蔵室１２Ｒ側の冷凍回路２０Ｒ内のオイルが圧縮機２１Ｒに戻ることに要する最低限の時間と判断されるためである。
【００３２】
＜実施形態３＞
本発明の実施形態３を図７及び図８によって説明する。  
この実施形態３では、冷蔵室１２Ｒ側の冷却制御運転中において結露抑制制御が実行されることは同様であるが、当該冷凍冷蔵庫の設置位置の周囲温度を実測することなく同制御が実行されるようになっている。  
冷蔵室１２Ｒにおける基本的な冷却制御運転を図８のタイミングチャートを参照して改めて説明すると、以下のようである。冷却ファン３７Ｒが駆動される一方、庫内サーミスタ４１Ｒによる検知温度Ｔｋが、庫内設定温度の上限値ＴＲ_u（ＴＲ＋１．７Ｋ）に上昇したら圧縮機２１Ｒが運転され、庫内設定温度の下限値ＴＲ_d（ＴＲ−２Ｋ）に下降したら圧縮機２１Ｒが停止され、この動作が繰り返されることで、冷蔵室１２Ｒの庫内温度がほぼ設定温度ＴＲに維持される。
【００３３】
さて、冷却制御運転を実行する制御装置４０Ａには、結露抑制制御を実行するべく圧縮機補正制御部５１が備えられ、この圧縮機補正制御部５１には、冷蔵室１２Ｒで冷却制御運転が実行されている場合において、圧縮機２１Ｒの停止時間を計測する運転状況検知部５２が付設されている。そして、圧縮機補正制御部５１では、運転状況検知部５２で計測された圧縮機２１Ｒの停止時間が、第１所定時間ｔ１（５０分）に達した時点で、庫内サーミスタ４１Ｒによる検知温度Ｔｋが、庫内設定温度の下限値ＴＲ_d（ＴＲ−２Ｋ）以上であることを条件に、圧縮機２１Ｒを強制的に起動するように機能する。このときから、結露抑制制御が開始される。庫内検知温度Ｔｋが、庫内設定温度の下限値ＴＲ_d（ＴＲ−２Ｋ）に達したら、圧縮機２１Ｒは停止する。
【００３４】
また、結露抑制制御の開始後において、圧縮機２１Ｒの停止時間が第１所定時間ｔ１（５０分）継続された時点で、庫内サーミスタ４１Ｒによる検知温度Ｔｋが、庫内設定温度の下限値ＴＲ_d（ＴＲ−２Ｋ）より低いときには、圧縮機２１Ｒは停止状態のままとなり、改めて圧縮機２１Ｒの停止時間が計時されて、上記した圧縮機２１Ｒの運転制御が行われる。  
一方、圧縮機の停止時間が第１所定時間ｔ１に達する前に、庫内検知温度Ｔｋが、庫内設定温度の上限値ＴＲ_u（ＴＲ＋１．７Ｋ）に達したら、圧縮機２１Ｒが起動されるとともに、結露抑制制御が解除される。
【００３５】
さらに、冷却ファン補正制御部５３が備えられている。この冷却ファン補正制御部５３では、上記した結露抑制制御が開始されたのちにおいて、圧縮機２１Ｒが停止状態から再起動した場合には、冷却ファン３７Ｒが第２所定時間ｔ２（例えば３分）だけ停止されるようになっている。但し、圧縮機２１Ｒが３分未満で運転が停止された場合には、圧縮機２１Ｒの停止とともに冷却ファン３７Ｒが再起動される。
【００３６】
本実施形態の作用の一例を、図８のタイミングチャートに基づいて説明する。  
冷蔵室１２Ｒの冷却制御運転中において圧縮機２１Ｒの運転状況が検知されており、圧縮機２１Ｒの停止時間が第１所定時間ｔ１（５０分）継続され、かつ庫内サーミスタ４１Ｒによる検知温度Ｔｋが、庫内設定温度の下限値ＴＲ_d（ＴＲ−２Ｋ）以上であったら、圧縮機２１Ｒが強制的に起動され、併せて結露抑制制御が開始される。ここで、圧縮機２１Ｒが停止状態から再起動した場合には、冷却ファン３７Ｒが第２所定時間ｔ２（３分）だけ停止される。庫内検知温度Ｔｋが、庫内設定温度の下限値ＴＲ_d（ＴＲ−２Ｋ）に達したら、圧縮機２１Ｒは停止される。  
圧縮機２１Ｒの起動条件として、庫内検知温度Ｔｋが庫内設定温度の下限値ＴＲ_dを上回っていることを採ったのは、無条件に圧縮機２１Ｒを運転するといわゆる冷やし過ぎの状態となって、貯蔵物が不必要に凍り付くおそれがあるため、それを回避するためである。
【００３７】
次に、圧縮機２１Ｒの停止時間が第１所定時間ｔ１（５０分）継続し、そのとき庫内検知温度Ｔｋが、庫内設定温度の下限値ＴＲ_d（ＴＲ−２Ｋ）より低いときには、圧縮機２１Ｒは停止状態のままに留められる。同様に冷やし過ぎを避けるためである。このときは、改めて圧縮機２１Ｒの停止時間が計時され、第１所定時間ｔ１が経過したところで、庫内検知温度Ｔｋが庫内設定温度の下限値ＴＲ_d（ＴＲ−２Ｋ）以上であったら、圧縮機２１Ｒが起動され、一方冷却ファン３７Ｒが停止される。同じく、庫内検知温度Ｔｋが、庫内設定温度の下限値ＴＲ_d（ＴＲ−２Ｋ）に達したら、圧縮機２１Ｒは停止されるが、圧縮機２１Ｒの運転時間が３分以内と短い場合には、圧縮機２１Ｒの停止とともに冷却ファン３７Ｒが再運転される。  
続いて、圧縮機２１Ｒの停止時間が第１所定時間ｔ１に達するよりも前（例えば停止から３０分経過時）に、庫内検知温度Ｔｋが、庫内設定温度の上限値ＴＲ_u（ＴＲ＋１．７Ｋ）に達したら、圧縮機２１Ｒが起動されるとともに、結露抑制制御が解除されて通常の冷却制御運転が実行される。
【００３８】
本実施形態によれば、冷蔵室１２Ｒ側の圧縮機２１Ｒの停止時間が長い場合には強制的に圧縮機２１Ｒが運転されるようになり、結果、圧縮機２１Ｒの運転率が上昇するために冷蔵室１２Ｒ内の除湿が促されて高湿度状態となることが防止される。そのため、冷蔵室１２Ｒにおいて冷凍室１２Ｆとの間の仕切壁１１に結露することが抑制される。  
また、結露抑制制御が開始されたのち、圧縮機２１Ｒが停止状態から再起動した場合には、冷却ファン３７Ｒが第２所定時間ｔ２（３分）だけ停止され、但し、圧縮機２１Ｒが３分未満で運転が停止された場合には、同圧縮機２１Ｒの運転中のみ冷却ファン３７Ｒが停止されることにより、圧縮機２１Ｒの起動直後の第２所定時間ｔ２等は、庫内空気が冷却器２５Ｒを通過しないことで冷却器２５Ｒが低温となり、冷却ファン３７Ｒが運転された際に除湿機能をより有効に発揮することができる。
【００３９】
＜他の実施形態＞
本発明は上記記述及び図面によって説明した実施形態に限定されるものではなく、例えば次のような実施形態も本発明の技術的範囲に含まれる。  
（１）実施形態３においても、実施形態２に例示したように、圧縮機停止時間が第１所定時間ｔ１に達したときに庫内検知温度Ｔｋが庫内設定温度の下限値ＴＲ_d（ＴＲ−２Ｋ）以下であった場合には、引き続く圧縮機２１Ｒの停止中に庫内検知温度Ｔｋが庫内設定温度の下限値ＴＲ_d（ＴＲ−２Ｋ）を上回ったところで圧縮機２１Ｒを第３所定時間ｔ３運転し、かつ同時間中は冷却ファン３７Ｒを停止状態とする制御を行ってもよい。
【００４０】
（２）圧縮機補正制御部５１で参酌する圧縮機停止時間の第１所定時間ｔ１は、実施形態に例示した「５０分」に限らず、任意に設定できる。  
（３）冷却ファン補正制御部５３で実行されるところ、圧縮機２１Ｒが停止状態から再起動した場合に冷却ファン３７Ｒが停止される第２所定時間ｔ２は、実施形態に例示した「３分」に限らず、任意に設定できる。
【００４１】
（４）実施形態１，２において例示した冷蔵室１２Ｒの庫内設定温度の上限値ＴＲ_uを補正するべく周囲温度Ｔｓはあくまでも一例であって、任意に設定できる。また、同上限値の下げ幅も変更可能である。  
（５）上記実施形態では、冷蔵室１２Ｒの除霜運転がオフサイクル形式で行われる場合を例示したが、除霜ヒータを利用した加熱形式としてもよい。  
（６）本発明は、上記実施形態に例示した冷凍冷蔵庫に限らず、本体内に複数の貯蔵室が区分して形成されて、互いに異なった設定温度に冷却可能とされた冷却貯蔵庫全般に適用可能である。
【符号の説明】
【００４２】
１０…本体  １１…仕切壁  １２Ｒ…冷蔵室（庫内設定温度が高い方の貯蔵室）  １２Ｆ…冷凍室  ２０Ｒ，２０Ｆ…冷凍サイクル  ２１Ｒ，２１Ｆ…圧縮機  ２５Ｒ，２５Ｆ…冷却器  ３７Ｒ，３７Ｆ…冷却ファン  ４０，４０Ａ…制御装置  ４１Ｒ，４１Ｆ…庫内サーミスタ  ４２…庫内設定温度入力部  ４７…目詰まりサーミスタ（周囲温度センサ）  ５０…上限値補正部  ５１…圧縮機補正制御部  ５２…運転状況検知部  ５３…冷却ファン補正制御部
【図１】
0005576668.tif 000002
【図２】
0005576668.tif 000003
【図３】
0005576668.tif 000004
【図４】
0005576668.tif 000005
【図５】
0005576668.tif 000006
【図６】
0005576668.tif 000007
【図７】
0005576668.tif 000008
【図８】
0005576668.tif 000009